(57)【特許請求の範囲】
【請求項１】
筐体と、
前記筐体に設けられ、携帯電子機器を載置可能な載置部と、
外部電源に接続されて当該外部電源からの電力が入力される電力入力部と、
前記載置部に載置された前記携帯電子機器から出力される音響信号が入力される音響入力部と、
前記電力入力部にて入力された電力により動作し、前記音響入力部にて入力された前記音響信号を出力する音響出力手段と、
前記音響出力手段から出力された前記音響信号を音響に変換するスピーカと、
前記載置部に設けられると共に、前記電力入力部と前記音響出力手段との間に接続され、前記携帯電子機器が前記載置部に載置されると前記筐体の内部方向に押圧されて前記電力入力部と前記音響出力手段とを通電させ、前記携帯電子機器が前記載置部に載置された状態から取り外されると前記押圧が解除されて前記通電を遮断するメカスイッチ部と、を備えることを特徴とする携帯電子機器の置き台。
【請求項２】
前記音響出力手段は、前記音響入力部にて入力された前記音響信号を増幅させる増幅手段であることを特徴とする請求項１記載の携帯電子機器の置き台。
【請求項３】
前記携帯電子機器が前記載置部に載置されたときに、前記電力入力部と前記音響出力手段とを通電させた状態で前記携帯電子機器を保持する保持手段を有する
ことを特徴とする請求項１又は請求項２に記載の携帯電子機器の置き台。
【請求項４】
前記メカスイッチ部は、前記載置部に形成された凹部の底部から突出するように設けられ、前記携帯電子機器が前記載置部に載置されたときに当該凹部に対応して前記携帯電子機器に配設された突起部により押圧されることを特徴とする請求項１乃至請求項３のいずれか一項に記載の携帯電子機器の置き台。
【請求項５】
前記筐体の外部に突出して設けられると共に、前記メカスイッチ部を介して前記音響出力手段と並列的に前記電力入力部に接続されると共に、前記電力入力部にて入力された前記外部電源からの電力を前記携帯電子機器へ供給する電力供給端子を備えることを特徴とする請求項１乃至４の何れか一に記載の携帯電子機器の置き台。
【請求項６】
音響信号を出力可能な携帯電子機器と、
筐体、前記筐体に設けられ、携帯電子機器を載置可能な載置部、外部電源に接続されて当該外部電源からの電力が入力される電力入力部、前記載置部に載置された前記携帯電子機器から出力される音響信号が入力される音響入力部、前記電力入力部にて入力された電力により動作し、前記音響入力部にて入力された前記音響信号を出力する音響出力手段、前記音響出力手段から出力された前記音響信号を音響に変換するスピーカ、前記載置部に設けられると共に、前記電力入力部と前記音響出力手段との間に接続され、前記携帯電子機器が前記載置部に載置されると前記筐体の内部方向に押圧されて前記電力入力部と前記音響出力手段とを通電させ、前記携帯電子機器が前記載置部に載置された状態から取り外されると前記押圧が解除されて前記通電を遮断するメカスイッチ部を備える置き台と、を有することを特徴とする音響装置。
【発明の詳細な説明】
【技術分野】
【０００１】
本発明は、携帯電話機等の携帯電子機器の置き台、当該置き台を備えた音響装置及び前記置き台の制御方法に関する。
【背景技術】
【０００２】
携帯電話機等の携帯電子機器を充電するための充電台にオーディオ回路等の音響出力回路やスピーカを設け、充電台に接続された携帯電子機器において生成された音響信号を充電台のスピーカにより音響に変換して出力する技術が知られている（特許文献１）。オーディオ回路の電源は充電用の電源と共用され、オーディオ回路は、充電用のＡＣアダプタが外部電源に接続されることにより電力が供給される。
【０００３】
なお、携帯電話機が載置されたときに押下されるスイッチを充電台に設け、携帯電話機が載置されているときのみ充電台の出力端子部に至る給電回路をＯＮにする技術が知られている（特許文献２）。
【特許文献１】特開２００３−０７９０６１号公報
【特許文献２】特開２００３−２８９３６２号公報
【発明の開示】
【発明が解決しようとする課題】
【０００４】
しかし、特許文献１の技術では、携帯電子機器が充電台に載置されていないときにもオーディオ回路に電力が供給されていることから、種々の問題を生じる。例えば、外来電波等の影響により生じたノイズ電流がアンプにより増幅され、スピーカから耳障りな音響として出力されることがある。オーディオ回路が利用されていないにも関らず電力が供給されることから電力の浪費を招く。一方で、携帯電子機器を充電台に載置又は充電台から取り外す度に充電台を外部電源に接続又は外部電源から切断することは煩わしく、一般に、充電台は外部電源に接続したままとされることが多い。
【０００５】
また、特許文献２の技術は、携帯電話機側の入力端子に接続される出力端子への給電構造に関する技術であり、充電台にスピーカを設置して当該スピーカから音響出力する構成は全く開示及び示唆されておらず、充電台に設置されたスピーカからノイズなどが出力されるといった問題には全く着目されていない。
【０００６】
本発明の目的は、携帯電子機器の載置状態に応じて音響出力回路への給電を適切に行なうことができる携帯電子機器の置き台、当該置き台を備えた音響装置及び前記置き台の制御方法を提供することにある。
【課題を解決するための手段】
【０００７】
本発明の携帯電子機器の置き台は、筐体と、前記筐体に設けられ、携帯電子機器を載置可能な載置部と、外部電源に接続されて当該外部電源からの電力が入力される電力入力部と、前記載置部に載置された前記携帯電子機器から出力される音響信号が入力される音響入力部と、前記電力入力部にて入力された電力により動作し、前記音響入力部にて入力された前記音響信号を出力する音響出力手段と、前記音響出力手段から出力された前記音響信号を音響に変換するスピーカと、前記載置部に設けられると共に、前記電力入力部と前記音響出力手段との間に接続され、前記携帯電子機器が前記載置部に載置されると前記筐体の内部方向に押圧されて前記電力入力部と前記音響出力手段とを通電させ、前記携帯電子機器が前記載置部に載置された状態から取り外されると前記押圧が解除されて前記通電を遮断するメカスイッチ部と、を備える。
【０００８】
好適には、前記音響出力手段は、前記音響入力部にて入力された前記音響信号を増幅させる増幅手段である。
【００１１】
好適には、前記携帯電子機器が前記載置部に載置されたときに、前記電力入力部と前記音響出力手段とを通電させた状態で前記携帯電子機器を保持する保持手段を有する。
【００１２】
好適には、前記メカスイッチ部は、前記載置部に形成された凹部の底部から突出するように設けられ、前記携帯電子機器が前記載置部に載置されたときに当該凹部に対応して前記携帯電子機器に配設された突起部により押圧される。
【００１５】
好適には、前記筐体の外部に突出して設けられると共に、前記メカスイッチ部を介して前記音響出力手段と並列的に前記電力入力部に接続されると共に、前記電力入力部にて入力された前記外部電源からの電力を前記携帯電子機器へ供給する電力供給端子を備える。
【００１６】
本発明の音響装置は、音響信号を出力可能な携帯電子機器と、筐体、前記筐体に設けられ、携帯電子機器を載置可能な載置部、外部電源に接続されて当該外部電源からの電力が入力される電力入力部、前記載置部に載置された前記携帯電子機器から出力される音響信号が入力される音響入力部、前記電力入力部にて入力された電力により動作し、前記音響入力部にて入力された前記音響信号を出力する音響出力手段、前記音響出力手段から出力された前記音響信号を音響に変換するスピーカ、前記載置部に設けられると共に、前記電力入力部と前記音響出力手段との間に接続され、前記携帯電子機器が前記載置部に載置されると前記筐体の内部方向に押圧されて前記電力入力部と前記音響出力手段とを通電させ、前記携帯電子機器が前記載置部に載置された状態から取り外されると前記押圧が解除されて前記通電を遮断するメカスイッチ部を備える置き台と、を有する。
【発明の効果】
【００１８】
本発明によれば、携帯電子機器の載置状態に応じて音響出力回路への給電を適切に行うことができる。
【発明を実施するための最良の形態】
【００１９】
（第１の実施形態）
図１は、本発明の第１の実施形態に係る携帯電話機２及びクレードル装置３からなる携帯電話ユニット１を示す一部に透視図を含む平面図であり、図１（ａ）はクレードル装置３を示し、図１（ｂ）は閉状態の携帯電話機２を示し、図１（ｃ）は開状態の携帯電話機２を示している。なお、携帯電話機２は携帯電子機器の一例であり、クレードル装置３は置き台の一例であり、携帯電話ユニット１は音響装置の一例である。
【００２０】
図２は、携帯電話機２をクレードル装置３に載置した状態を示す一部に透視図を含む平面図であり、図２（ａ）は携帯電話機２を閉状態にした場合を、図２（ｂ）は携帯電話機２を開状態にした場合を示している。
【００２１】
図３は、携帯電話機２をクレードル装置３に載置した状態を示す一部に透視図を含む側面図であり、図３（ａ）は携帯電話機２を閉状態にした場合を、図３（ｂ）は携帯電話機２を開状態にした場合を示している。
【００２２】
携帯電話機２は、受話筐体５及び送話筐体６を有して構成され、受話筐体５及び送話筐体６は、それぞれの端部が連結部７により連結されており、携帯電話機２は、連結部７を回動の中心として開閉可能である。連結部７は、送話筐体６に形成された受話筐体５側へ突出する凸部６ｃに受話筐体５に形成された凹部が嵌合して構成されている。受話筐体５及び送話筐体６は、それぞれ概ね薄型直方体に形成されており、閉状態では互いに重ね合わされ、一方の筐体側から他方の筐体側を見たときに互いの輪郭が略一致するようになっている。
【００２３】
受話筐体５は、例えば樹脂により略薄型直方体状に形成されている。受話筐体５には、閉状態で送話筐体６に対向する対向面に画像を表示する表示部９が設けられている。表示部９は、例えば液晶表示ディスプレイによって構成されている。なお、受話筐体５には、この他、通話用のスピーカ３９（図５参照）が設けられ、当該スピーカの放音口１０が対向面に設けられている。
【００２４】
送話筐体６は、例えば樹脂により略薄型直方体状に形成されている。送話筐体６には、ユーザの操作を受け付ける操作部１２、電波の送受信を行うメインアンテナ１３及びサブアンテナ１４、報知音等を出力するスピーカ１５、通話用のマイクロフォン３５（図５参照）、マイクロフォン３５の集音孔１６、スピーカ１５の放音孔１７が設けられている。
【００２５】
クレードル装置３は、筐体１８と、クレードル装置３に電力を供給するための充電器５２（図１（ａ））と、クレードル装置３と携帯電話機２とを電気的に接続するための充電端子２０、２１及び音響信号端子２２と、携帯電話機２から入力された音響信号に基づく音響を出力するスピーカ２３と、携帯電話機２の載置を検出するためのメカスイッチ４１と、携帯電話機２をクレードル装置３に保持するための係合部４２とを備えている。
【００２６】
なお、充電器５２は電力入力部の一例であり、充電端子２０、２１は電力供給端子の一例であり、音響信号端子２２は音響入力部の一例であり、メカスイッチ４１は給電抑制手段、検出手段及び遮断手段の一例であり、係合部４２は保持手段の一例である。
【００２７】
筐体１８は、例えば、机上などに載置される下部カバー１８ａと、下部カバー１８ａに被せられる上部カバー１８ｂとを備えている。下部カバー１８ａ及び上部カバー１８ｂは例えば樹脂により形成されている。上部カバー１８ｂは、筐体１８が載置される面に対して傾斜するように下部カバー１８ａに被せられており、筐体１８は、全体として、載置される面（机面等）に対して傾斜する傾斜面１８ｃを有する台形状に形成されている。
【００２８】
筐体１８の上面には、携帯電話機２を載置するための凹部（載置部）２５が形成されている。凹部２５は、傾斜面１８ｃの下方側に設けられている。凹部２５は、携帯電話機２の送話筐体６が嵌合する形状に形成されるとともに、送話筐体６の背面６ａが当接する底部が、クレードル装置３が載置される面（机面等）に対して傾斜するように形成されている。携帯電話機２は、連結部７側を傾斜面１８ｃの上方側に向けて、送話筐体６が凹部２５に嵌合挿入されることにより、クレードル装置３に載置可能に構成されている。
【００２９】
図３（ａ）及び図３（ｂ）に示すように、凹部２５の深さは送話筐体６の厚さと略同等又はそれ以下である。従って、携帯電話機２を凹部２５内に載置した状態で、携帯電話機２を開閉しても、傾斜面１８ｃの凹部２５周縁は受話筐体５に当接せず、携帯電話機２の開閉は妨げられない。
【００３０】
充電器５２は、ＡＣアダプタにより構成され、コード１９により筐体１８内部の電気回路と接続されている。充電器５２は、電源端子５２ａを備えており、電源端子５２ａが、商用周波数の電力を供給するための電源レセプタクルに挿入されることにより、外部電源からの電力が入力される。充電器５２は、外部電源から供給された交流電流を適宜な電圧の直流電流に変換し、コード１９を介して筐体１８内部の回路基板に電力を供給する。
【００３１】
なお、コード１９の筐体１８側の端部にはコネクタ５３が設けられている。コネクタ５３は、筐体１８に設けられた不図示のコネクタと接続又は当該コネクタから取り外し可能であるとともに、携帯電話機２に設けられた不図示のコネクタと接続又は当該コネクタから取り外し可能である。すなわち、コネクタ５３を携帯電話機２に接続して、充電器５２により直接的に携帯電話機２を充電することもできる。
【００３２】
充電端子２０、２１は、凹部２５の底部から突出するように設けられており、携帯電話機２を凹部２５に嵌合挿入すると、携帯電話機２の送話筐体６に設けられた充電端子３７（図５参照）に当接して接続される。
【００３３】
音響信号端子２２は、凹部２５の底部から突出するように設けられている。また、充電端子２０、２１に隣接して設けられている。音響信号端子２２は、携帯電話機２を凹部２５に嵌合挿入すると、携帯電話機２の送話筐体６に設けられた音響信号端子（出力部）３６（図５参照）に当接して接続される。
【００３４】
スピーカ２３は、凹部２５よりも傾斜面１８ｃの上方側に設けられている。スピーカ２３は、放音面が傾斜面１８ｃの裏面に対向するように（上方を向くように）配置されており、傾斜面１８ｃには、スピーカ２３により出力された音響を放音するための放音孔２４が設けられている。
【００３５】
図４は、メカスイッチ４１及び係合部４２を説明する図であり、図４（ａ）は送話筐体６の連結部７側端部の背面６ａ側（閉状態で受話筐体５と対向する面の反対側、クレードル装置３の凹部２５載置面に載置される側）の斜視図であり、図４（ｂ）は図１（ａ）のＩＶｂ−ＩＶｂ線矢視方向の断面図であり、図４（ｃ）は図１（ａ）のＩＶｃ−ＩＶｃ線矢視方向の断面図である。
【００３６】
図４（ａ）に示すように、送話筐体６の背面６ａには、背面側（受話筐体５とは反対側）に突出する突起部６ｂが形成されている。突起部６ｂの内部には、例えば、カメラモジュール６１や赤外線通信部６２が設けられており、突起部６ｂの面にはカメラモジュール６１用の開口窓や赤外線通信部６２用の開口窓が形成されている。送話筐体６において、突起部６ｂとは反対側（受話筐体５側）では、連結部７を構成する凸部６ｃ（図１等参照）が受話筐体５側に突出している。突起部６ｂは、例えば、回動の軸方向（図１の紙面左右方向）において凸部６ｃと同等の大きさであり、回動の軸に直交する方向（図１の紙面上下方向）において凸部６ｃよりもやや大きく形成されている。
【００３７】
また、図４（ａ）に示すように、送話筐体６の連結部７側の端面には、クレードル装置３の係合部４２と係合するための係合穴６ｈが形成されている。係合穴６ｈは、例えば矩形状に形成され、突起部６ｂの両側に設けられている。
【００３８】
図１（ａ）及び図４（ｂ）に示すように、クレードル装置３の凹部２５の底部には、送話筐体６の突起部６ｂが嵌合する突起部用凹部２５ａが形成されている。突起部用凹部２５ａの深さは突起部６ｂの突出量と略同等に設定されており、送話筐体６は、突起部６ｂが突起部用凹部２５ａに挿入されることにより、突起部６ｂが突起部用凹部２５ａの底部に支持されるとともに、送話筐体６の背面６ａのうち突起部６ｂ以外の比較的広い範囲が凹部２５の底部に支持される。突起部用凹部２５ａには、メカスイッチ４１が設けられている。
【００３９】
図４（ｂ）に示すように、メカスイッチ４１は、キートップ４３と、キートップ４３により押下される可動接点４４と、可動接点４４と当接する第１固定接点４５と、可動接点４４と当接又は離間可能な第２固定接点４６とを備えている。なお、キートップ４３は被押圧部の一例であり、可動接点４４は遮断作動部の一例である。
【００４０】
キートップ４３は、例えば樹脂により形成され、突起部用凹部２５ａの底部に形成された開口部から突出する位置と、当該位置からクレードル装置３の筐体内部側（紙面下方側）へ退避した位置との間で進退可能である。キートップ４３の突出量は、突起部用凹部２５ａの底部内側面に係合する鍔部４３ａにより規制され、例えば、キートップ４３が突起部用凹部２５ａから突出しない大きさに設定されている。なお、キートップ４３は、突起部用凹部２５ａから突出していてもよい。
【００４１】
可動接点４４は金属等の導電性部材によりドーム状の皿ばねとして形成されており、凸状面でキートップ４３を支持している。第１固定接点４５は、クレードル装置３の筐体１８内に設けられた回路基板４７に設けられており、可動接点４４の縁部を支持している。第２固定接点４６は、回路基板４７に設けられており、可動接点４４の中央部に配置されている。
【００４２】
携帯電話機２の送話筐体６がクレードル装置３の凹部２５に載置され、送話筐体６の突起部６ｂが凹部２５の突起部用凹部２５ａに嵌合すると、突起部６ｂがキートップ４３に当接し、携帯電話機２の自重等によりキートップ４３は押圧される。そして、キートップ４３により可動接点４４の中央部は押圧され、可動接点４４は中央部が回路基板４７側に近づくように弾性変形し、クリック感を生じつつ第２固定接点４６に当接する。これにより、第１固定接点４５と第２固定接点４６とは可動接点４４を介して電気的に接続される。
【００４３】
一方、送話筐体６が凹部２５から取り外された場合には、可動接点４４は自己の復元力により、第２固定接点４６から離間する位置へ復帰する。この際、キートップ４３も可動接点４４に付勢されて、突起部用凹部２５ａ底部から突出する位置へ復帰する。そして、第１固定接点４５と第２固定接点４６とは電気的に遮断される。
【００４４】
図１（ａ）及び図４（ｂ）に示すように、係合部４２は、クレードル装置３の凹部２５の傾斜面１８ｃの上方側（図１（ａ）の紙面上方側）の壁部２５ｗに設けられている。図４（ｃ）に示すように、係合部４２は、壁部２５ｗに開口する開口部から突出する位置と、当該位置からクレードル装置３の筐体内部側へ退避した位置との間で進退可能な係合部材４８と、係合部材４８を突出する位置側へ付勢するバネ４９とを備えている。
【００４５】
係合部材４８は、例えば、樹脂により形成され、進退方向から見て（図４（ｃ）の紙面左右方向から見て）矩形状、進退方向に直交する方向から見て、突出部分が三角状に形成されている。バネ４９は例えば金属製のコイルバネにより形成され、クレードル装置３の筐体１８の適宜な位置に支持されて係合部材４８を付勢する。なお、バネ４９は金属や樹脂により形成された板バネ等の他の付勢手段でもよい。
【００４６】
携帯電話機２の送話筐体６がクレードル装置３の凹部２５に挿入されると、その中途において、係合部材４８は送話筐体６によりクレードル装置３の筐体内部側へ押し込められる。送話筐体６が凹部２５にさらに挿入され、送話筐体６の突起部６ｂがメカスイッチ４１を押圧してオン状態にする位置まで移動すると、送話筐体６の係合穴６ｈが係合部４２の位置まで移動し、係合部材４８はバネ４９の付勢力によって係合穴６ｈに挿入される。これにより、係合部材４８と係合穴６ｈとが係合し、送話筐体６はクレードル装置３に保持される。
【００４７】
一方、送話筐体６をクレードル装置３の凹部２５から持ち上げた場合には、係合部材４８は、送話筐体６によりクレードル装置３の筐体内部側へバネ４９の付勢力に抗して押し込められ、係合部材４８と係合穴６ｈとの係合が解除される。
【００４８】
図５は、携帯電話ユニット１の信号処理系の概略構成を示すブロック図である。
【００４９】
携帯電話機２は、各種電子素子の動作を制御する制御部３１と、無線通信を行うための通信処理部３２と、音響出力に係る処理を行う音響処理部３３と、充電回路３４とを備えている。なお、携帯電話機２は、この他にも、制御部３１からの映像データを映像信号に変換して表示部９に出力する画像処理部等の種々の手段を備えるが図示は省略する。
【００５０】
制御部３１は、例えばＣＰＵ、ＲＯＭ、ＲＡＭ等を含んだＩＣにより構成されており、ＣＰＵはＲＯＭに記録されたプログラムを実行し、操作部１２からの信号等に基づいて通信処理部３２、音響処理部３３等の動作を制御する。
【００５１】
通信処理部３２は、高周波回路を含んで構成され、電波を利用した無線通信を行う。具体的には、通信処理部３２は、制御部３１等で処理された音響データ、画像データ等の各種データを変調して、メインアンテナ１３を介して送信する。また、通信処理部３２は、メインアンテナ１３及びサブアンテナ１４を介して受信した信号を復調して制御部３１等に出力する。
【００５２】
音響処理部３３は、マイクロフォン３５からの音響信号を制御部３１に出力する。また、音響処理部３３は、通信処理部３２及び制御部３１を介して他の携帯電話機から送信された音響信号、制御部外部記憶装置に記憶された楽曲データに基づく音響信号等をミキシング、増幅するなどして、通話用のスピーカ３９、報知等に利用されるスピーカ１５及び音響信号端子３６に出力する。
【００５３】
充電回路３４は、充電端子３７に供給された電力を適宜な電圧の電力に変換して、携帯電話機２の電源としてのバッテリ３８に供給する。また、バッテリ３８の充電状態等に応じてバッテリ３８への充電（電力供給）を開始したり、充電の中断を行う。
【００５４】
クレードル装置３は増幅器５１を備えている。なお、増幅器５１は音響出力手段及び増幅手段の一例である。増幅器５１は、音響信号端子２２を介して携帯電話機２から入力された音響信号を増幅してスピーカ２３に出力する。スピーカ２３では、増幅器５１から出力された音響信号を音響に変換して出力する。
【００５５】
充電器５２に入力され、コード１９を介してクレードル装置３の筐体１８内部の回路に供給された直流電力は、充電端子２０、２１に出力されるとともに、増幅器５１に出力される。増幅器５１は充電器５２から電力が供給されて動作する。
【００５６】
図６は、増幅器５１周辺の回路図である。なお、図６では、増幅器５１内部の構成は概念的なブロック図で示されている。また、バイパスコンデンサ等の詳細は省略している。
【００５７】
増幅器５１は、例えばいわゆる差動出力形式の増幅回路により構成されており、入力端子５１ｂに入力された電気信号を、１対のトランジスタ５５（図６では１ブロックで示す）により増幅して、第１出力端子５１ｃ及び第２出力端子５１ｆから出力する。入力端子５１ｂは、音響信号端子２２と接続されている。第１出力端子５１ｃ及び第２出力端子５１ｆはスピーカ２３に接続されている。
【００５８】
増幅器５１は、給電端子５１ｅに印加された電圧を、トランジスタ５５に印加して、入力端子５１ｂに入力された電気信号を増幅する。トランジスタ５５は、給電端子５１ｅから印加された電圧に応じた増幅率で音響信号を増幅する。換言すれば、トランジスタ５５は、電力の供給の抑制に応じて増幅動作が抑制される。給電端子５１ｅは、充電器５２に接続されている。また、給電端子５１ｅと充電器５２との間には、メカスイッチ４１が設けられている。なお、基準電位はＧＮＤ端子５１ｄにより得られる。
【００５９】
給電端子５１ｅからトランジスタ５５への電圧の印加は、制御端子５１ａの電圧の印加により制御される。例えば、給電端子５１ｅとトランジスタ５５との間にはスイッチング素子５６が設けられており、スイッチング素子５６は、制御端子５１ａに所定の電位以上の電圧が印加された場合には給電端子５１ｅとトランジスタ５５とを導通状態とし、制御端子５１ａに所定の電位以上の電圧が印加されない場合には給電端子５１ｅとトランジスタ５５とを非導通状態とする。従って、制御端子５１ａへの電圧の印加により、トランジスタ５５は動作状態又は非動作状態に切り換えられる。制御端子５１ａは、充電器５２に接続されている。なお、本実施形態においては、制御端子５１ａやスイッチング素子５６は省略されてもよい。
【００６０】
以上の携帯電子ユニット１の動作を説明する。
【００６１】
充電器５２が外部電源に接続された状態で、携帯電話機２の送話筐体６がクレードル装置３の凹部２５に載置されると、送話筐体６の突起部６ｂがクレードル装置３のメカスイッチ４１を押下して、メカスイッチ４１はオン状態となる。これにより、充電器５２から充電端子２０へ電力が供給されて携帯電話機２の充電が行われるとともに、充電器５２から増幅器５１の給電端子５１ｅ及び制御端子５１ａに電力が供給されて、増幅器５１は動作状態となる。そして、携帯電話機２から音響信号端子２２を介して増幅器５１の入力端子５１ｂに音響信号が入力されると、トランジスタ５５により増幅された音響信号が第１出力端子５１ｃ及び第２出力端子５１ｆを介してスピーカ２３に出力され、スピーカ２３により音響に変換されて放音される。
【００６２】
一方、携帯電話機２が凹部２５から取り外されると、メカスイッチ４１はオフ状態となる。これにより、充電器５２から充電端子２０への電力の供給が遮断されるとともに、増幅器５１への電力の供給も遮断され、増幅器５１は非動作状態となる。
【００６３】
以上の実施形態によれば、クレードル装置３の凹部２５に携帯電話機２が載置されていないときに、充電器５２から増幅器５１への給電を抑制するメカスイッチ４１が設けられていることから、携帯電話機２が載置されていないにも関らず増幅器５１へ電力が供給されることにより生じる弊害が種々解消される。例えば、電波等によりノイズ電流が発生したとしても、ノイズ電流が増幅器５１により増幅されてスピーカ２３から放音されることはない。
【００６４】
メカスイッチ４１により携帯電話機２の載置を検出するとともに、携帯電話機２の載置が検出されたときに増幅器５１への通電の遮断を解除することから、携帯電話機２の載置に応じて自動的に増幅器５１への給電が制御されて便利である。
【００６５】
クレードル装置３の凹部２５から突出するメカスイッチ４１のキートップ４３が、携帯電話機２の載置により押圧され、可動接点４４が第２固定接点４６に当接することにより、携帯電話機２の載置の検出及び増幅器５１への給電の停止の解除が行われることから、光センサ等により携帯電話機２の載置を検出するような場合に比較して構成が簡素である。
【００６６】
携帯電話機２は、クレードル装置３の凹部２５に載置されたときに、係合部４２により、メカスイッチ４１を押圧した状態で凹部２５に保持されるから、確実に携帯電話機２の載置が検出されるとともに、増幅器５１への電力の供給の停止が解除される。
【００６７】
メカスイッチ４１は、クレードル装置３の凹部２５に形成された突起部用凹部２５ａに配置されて、携帯電話機２が凹部２５に載置されたときに送話筐体６の突起部６ｂにより押圧されるように構成されていることから、携帯電話機２が載置されていないときに押圧されて誤動作を生じるおそれが低減される。
【００６８】
メカスイッチ４１は、携帯電話機２が載置されていないときに、増幅器５１への電力の供給を停止するとともに、充電端子２０への電力の供給も停止する。このため、例えば、安全性が向上し、また、電力消費も低減される。
【００６９】
（第２の実施形態）
図７は本発明の第２の実施形態の増幅器周辺の回路図である。なお、第１の実施形態と同様の構成については、第１の実施形態と同一の符号、又は、第１の実施形態の符号に「´」を付して示し、図示及び説明を省略する。
【００７０】
第２の実施形態では、クレードル装置に動作指令端子１２３が設けられ、動作指令端子１２３と、制御端子５１ａとが接続されている点で第１の実施形態と相違する。なお、動作指令端子１２３は、動作指令信号入力部の一例である。また、メカスイッチ４１は省略されている。ただし、第２の実施形態においてもメカスイッチ４１を設けてもよい。
【００７１】
第２の実施形態では、動作指令端子１２３に所定の電位以上の電圧が印加された場合にはトランジスタ５５への電力の供給が許容され、印加されない場合にはトランジスタ５５への電力の供給が抑制される。
【００７２】
動作指令端子１２３は、例えば、図１に示す充電端子２０、２１、音響信号端子２２の配置位置周辺に配置され、携帯電話機２′がクレードル装置３′の凹部２５に載置されることにより携帯電話機２′に設けられた動作指令端子１３６に接続される。
【００７３】
携帯電話機２′の制御部３１′は、適宜に動作指令端子１３６に所定の電位以上の電気信号である動作指令信号を出力する。
【００７４】
例えば、制御部３１′は、常時、動作指令端子１３６に動作指令信号を出力する。この場合、携帯電話機２′をクレードル装置３の凹部２５に載置することにより、すなわち、携帯電話機２′の動作指令端子１３６とクレードル装置３′の動作指令端子１２３とを接続することにより、動作指令信号は動作指令端子１２３に入力され、トランジスタ５５への給電が許容される。また、携帯電話機２′を凹部２５から取り外すことにより、トランジスタ５５への給電が抑制される。
【００７５】
また、例えば、制御部３１′は、音響処理部３３から音響信号を出力する際に動作指令端子１３６に動作指令信号を出力する。具体的には、例えば、制御部３１′は、各種機能の起動や処理を管理しており、音楽再生機能やムービー再生機能等の音響が出力される特定の機能が起動されている間、あるいは、着信に応じてＭＩＤＩ音源から報知音を出力したり、通話のための通信を行っている等の音響が出力される特定の処理が実行されている間は、動作指令信号を出力する。動作指令信号が出力される機能や処理は、使用者において選択してもよいし、ユーザが選択可能であってもよい。
【００７６】
なお、第２の実施形態では、増幅器５１のうちトランジスタ５５が、給電が制御される音響出力手段として機能するとともに、スイッチング素子５６が給電抑制手段として機能している。また、スイッチング素子５６は、動作指令信号の入力の有無により、携帯電話機２′の載置の有無を検出するとともにトランジスタ５５と充電器５２とを導通状態又は非導通状態としているといえるから、スイッチング素子５６は検出手段及び遮断手段として機能している。
【００７７】
以上の第２の実施形態によれば、携帯電話機２′がクレードル装置３′に載置されていないときには、動作指令信号がクレードル装置３′に入力されず、トランジスタ５５への電力の供給が停止されるから、第１の実施形態と同様に、携帯電話機２′が載置されていないにも関らず、トランジスタ５５へ電力が供給される弊害が解消される。
【００７８】
また、動作指令信号が、音響処理部３３から音響信号を出力する際に出力されるようにした場合には、携帯電話機２′がクレードル装置３′に載置され、かつ、音響をスピーカ２３から出力する必要があるときにのみトランジスタ５５へ給電が行われることから、トランジスタ５５へ供給する電力を必要最小限に抑えることができる。
【００７９】
本発明は以上の実施形態に限定されず、種々の態様で実施してよい。
【００８０】
携帯電子機器は、音響信号を出力できるものであればよく、携帯電話機に限定されない。例えば、ノートパソコン、ＰＤＡ、ゲーム機であってもよい。置き台は、携帯電子機器から出力された音響信号を音響に変換するスピーカを備えていればよく、充電台に限定されない。例えば、充電機能を有さないスピーカ専用装置であってもよい。
【００８１】
音響入力部は、載置部に載置された携帯電子機器から音響信号が入力されるものであればよく、携帯電話機に接続される端子に限定されない。例えば、赤外線通信により、携帯電子機器からの音響信号が入力されるものでもよい。
【００８２】
外部電源は、置き台の音響出力手段に電力を供給するものであればよく、発電所等の商用周波数の交流電力を供給するものに限定されない。例えば、置き台に装着可能なバッテリであってもよいし、自動車の内燃機関により発電された電力を供給するものであってもよい。
【００８３】
音響出力手段は、音響入力部を介して携帯電子機器から入力された音響信号を出力し、当該出力動作を、電力入力部にて入力された電力を利用して行うものであればよく、トランジスタやトランジスタを組み合わせた増幅器に限定されない。例えば、音響信号の周波数特性を変化させるイコライザやフィルタであってもよいし、複数の音響信号をミキシングするミキサーであってもよい。音響入力部からの音響信号を変化させてもよいしさせなくてもよい。なお、音響出力手段が供給された電力により動作しているか否かは、例えば、電力が供給されていないときに対して音響出力手段内部の電流の流れが変化しているか否か、電力が供給されていないときに対して音響出力手段から出力される音響信号が変化しているか否か（電力が供給されていないときに音響出力手段から音響信号が全く出力されない場合を含む）により判断できる。
【００８４】
給電抑制手段は、携帯電子機器が載置されているときに音響出力手段に供給される電力に対して、携帯電子機器が載置されていないときに音響出力手段に供給される電力を低減できるものであればよく、完全に電力の供給を停止するものに限定されない。供給する電力を多少なりとも抑制できれば、電力の浪費やノイズの音量等が低減され、本発明の効果を奏する。
【００８５】
携帯電子機器の載置を検出する検出手段は、メカスイッチのような接触型のスイッチに限定されない。例えば、光検出センサや磁気センサ等の非接触型のセンサであってもよい。遮断手段は、メカスイッチのように回路を機械的に開閉するものに限定されない。例えば、電界効果トランジスタであってもよい。
【図面の簡単な説明】
【００８６】
【図１】本発明の第１の実施形態に係る携帯電子ユニットの携帯電話機及びクレードル装置を示す一部に透視図を含む正面図。
【図２】図１の携帯電子ユニットを、携帯電話機をクレードル装置に載置した状態で示す一部に透視図を含む正面図。
【図３】図１の携帯電子ユニットを、携帯電話機をクレードル装置に載置した状態で示す一部に透視図を含む側面図。
【図４】図１のクレードル装置のメカスイッチ及び係合部を説明する図。
【図５】図１の携帯電子ユニットの信号処理系の構成を示すブロック図。
【図６】図１のクレードル装置の増幅器周辺の回路図。
【図７】本発明の第２の実施形態に係るクレードル装置の増幅器周辺の回路図。
【符号の説明】
【００８７】
１…携帯電話ユニット（音響装置）、２…携帯電話機（携帯電子機器）、３…クレードル装置（置き台）、２２…音響信号端子（音響入力部）、２３…スピーカ、２５…凹部（載置部）、５１…増幅器（音響出力手段）、４１…メカスイッチ（給電抑制手段）、５２…電力入力部。
【図１】
0004566924.tif 000002
【図２】
0004566924.tif 000003
【図３】
0004566924.tif 000004
【図４】
0004566924.tif 000005
【図５】
0004566924.tif 000006
【図６】
0004566924.tif 000007
【図７】
0004566924.tif 000008